(57)【要約】【課題】液晶表示部に固定的に表示されるパターンについての焼き付きを抑制すること。【解決手段】本発明は、画像を表示する液晶パネル１０と、液晶パネル１０に光を照射するバックライトユニット２０と、液晶パネル１０の画像の表示領域内の特定の位置に固定的に表示される第１のパターンの画像信号を記憶する記憶部１１と、記憶部１１に記憶された第１のパターンの画像信号を第２のパターンの画像信号に変換する画像変換部１２と、画像変換部１２で変換した第２のパターンの画像信号を液晶パネル１０に与え、液晶パネル１０の表示領域内における第１のパターンが表示されていた特定の位置に第２のパターンを表示する制御を行う表示制御部１３とを備える液晶表示装置１である。【選択図】図１
2011053442.tif 000002
【特許請求の範囲】
【請求項１】
画像を表示する液晶表示部と、
前記液晶表示部に光を照射する光源と、
前記液晶表示部の画像の表示領域内の特定の位置に固定的に表示される第１のパターンおよび第２のパターンの画像信号を記憶する記憶部と、
前記記憶部で記憶された第２のパターンの画像信号を前記液晶表示部に与え、前記液晶表示部の表示領域内における前記第１のパターンが表示されていた特定の位置に前記第２のパターンを表示する制御を行う表示制御部と
を備える液晶表示装置。
【請求項２】
画像を表示する液晶表示部と、
前記液晶表示部に光を照射する光源と、
前記液晶表示部の画像の表示領域内の特定の位置に固定的に表示される第１のパターンの画像信号を記憶する記憶部と、
前記記憶部に記憶された前記第１のパターンの画像信号を第２のパターンの画像信号に変換する画像変換部と、
前記画像変換部で変換した第２のパターンの画像信号を前記液晶表示部に与え、前記液晶表示部の表示領域内における前記第１のパターンが表示されていた特定の位置に前記第２のパターンを表示する制御を行う表示制御部と
を備える液晶表示装置。
【請求項３】
前記表示制御部は、所定の係数に比例する時間だけ前記第２のパターンの画像信号を前記液晶表示部に与える
請求項１記載または２記載の液晶表示装置。
【請求項４】
前記表示制御部は、前記係数として、前記液晶表示部の表示領域における前記光源との距離に反比例した値を用いる
請求項３記載の液晶表示装置。
【請求項５】
前記表示制御部は、前記係数として、前記第１のパターンを表示する時間に比例した値を用いる
請求項３または４記載の液晶表示装置。
【請求項６】
前記液晶表示部の表示領域内で、特定の位置に予め設定された時間以上固定的に表示される固定パターンを検出する検出部を備えており、
前記記憶部は、前記検出部で前記固定パターンを検出した際にはその固定パターンを前記第１のパターンとして記憶する
請求項１から５のうちいずれか１項に記載の液晶表示装置。
【請求項７】
前記表示制御部は、前記第２のパターンを前記光源から光が照射されていない間に表示する
請求項１から６のうちいずれか１項に記載の液晶表示装置。
【請求項８】
前記表示制御部は、前記第１のパターンと前記第２のパターンとを交互に表示する
請求項１から７のうちいずれか１項に記載の液晶表示装置。
【請求項９】
前記第２のパターンは、前記第１のパターンに対して反転したパターン、もしくは当該反転したパターンに類似するパターンである
請求項１から８のうちいずれか１項に記載の液晶表示装置。
【請求項１０】
液晶表示部に画像を表示する工程と、
前記液晶表示部の画像の表示領域内の特定の位置に固定的に表示される第１のパターンがある場合、前記第１のパターンと異なる第２のパターンの画像信号を前記液晶表示部に与え、前記液晶表示部の表示領域内における前記第１のパターンが表示されていた特定の位置に前記第２のパターンを表示する工程と
を有する液晶表示装置の表示制御方法。
【請求項１１】
液晶表示部に画像を表示する工程と、
前記液晶表示部の画像の表示領域内の特定の位置に固定的に表示される第１のパターンがある場合、前記第１のパターンの画像信号を第２のパターンの画像信号に変換する工程と、
前記第２のパターンの画像信号を前記液晶表示部に与え、前記液晶表示部の表示領域内における前記第１のパターンが表示されていた特定の位置に前記第２のパターンを表示する工程と
を有する液晶表示装置の表示制御方法。
【請求項１２】
液晶表示部の画像の表示領域内の特定の位置に固定的に表示される第１のパターンがある場合、予め記憶部に記憶された前記第１のパターンと異なる第２のパターンの画像信号を前記液晶表示部に与え、前記液晶表示部の表示領域内における前記第１のパターンが表示されていた特定の位置に前記第２のパターンを表示するステップと
を液晶表示装置の制御コンピュータに実行させる表示制御プログラム。
【請求項１３】
液晶表示部の画像の表示領域内の特定の位置に固定的に表示される第１のパターンがある場合、予め記憶部に記憶された前記第１のパターンの画像信号を第２のパターンの画像信号に変換するステップと、
変換して得た前記第２のパターンの画像信号を前記液晶表示部に与え、前記液晶表示部の表示領域内における前記第１のパターンが表示されていた特定の位置に前記第２のパターンを表示するステップと
を液晶表示装置の制御コンピュータに実行させる表示制御プログラム。
【発明の詳細な説明】
【技術分野】
【０００１】
本発明は、液晶表示装置、液晶表示装置の表示制御方法および表示制御プログラムに関する。詳しくは、液晶表示部に固定的に表示されるパターンの位置で発生する、いわゆる焼き付きを抑制する液晶表示装置、液晶表示装置の表示制御方法および表示制御プログラムに関する。
【背景技術】
【０００２】
従来、表示装置においては、長期にわたり特定のパターンを表示し続けると、その部分の表示特性が変化してしまい、その周囲の表示部と輝度、コントラスト、色等が異なることが視認される、いわゆる焼き付き現象が発生する。
【０００３】
この焼き付き現象の原因は様々であり、例えば、液晶表示装置の場合には、液晶中の直流電圧により可動イオンが液晶と配向膜との界面に偏在し、液晶印加電圧が非対称になって実効輝度が変化することによるものが挙げられる。また、液晶中の不純物（可動イオン）による保持率低下で輝度が低下する現象も挙げられる。
【０００４】
一般的に、液晶表示装置の焼き付き現象を抑制させる手段として、パーソナルコンピュータ用の表示装置等ではスクリーンセーバを機能させることが広く知られている。
【０００５】
ここで、特許文献１では、スリープモードなどが作動した場合に、制御回路から画像変換回路に画像変換制御信号を出力して、画素による暗表示と明表示とが密集することなく混在するパターンを表示させる技術が開示されている。また、この暗表示と明表示との表示パターンを周期的に反転させ、さらに、制御回路から調光制御回路に制御信号を出力してバックライト装置を消灯させる技術も開示されている。
【０００６】
特許文献２では、パネル内に存在する不純物イオンを非表示領域に追い出すため、周辺電極の駆動周波数を最適化および順次駆動する技術が開示されている。
【先行技術文献】
【特許文献】
【０００７】
【特許文献１】特開平１０−１０４９６号公報
【特許文献２】特開２００８−２６８２５３号公報
【発明の概要】
【発明が解決しようとする課題】
【０００８】
しかしながら、従来の技術では、画面全体についての焼き付き抑制を行うことはできるものの、特定のパターンに対する焼き付きを抑制するのは困難である。本発明は、液晶表示部に固定的に表示されるパターンについての焼き付きを抑制する技術の提供を目的とする。
【課題を解決するための手段】
【０００９】
本発明は、画像を表示する液晶表示部と、液晶表示部に光を照射する光源と、液晶表示部の画像の表示領域内の特定の位置に固定的に表示される第１のパターンと第２のパターンの画像信号を記憶する記憶部と、記憶部で記憶された第２のパターンの画像信号を液晶表示部に与え、液晶表示部の表示領域内における第１のパターンが表示されていた特定の位置に第２のパターンを表示する制御を行う表示制御部とを備える液晶表示装置である。
【００１０】
また、本発明は、画像を表示する液晶表示部と、液晶表示部に光を照射する光源と、液晶表示部の画像の表示領域内の特定の位置に固定的に表示される第１のパターンの画像信号を記憶する記憶部と、記憶部に記憶された第１のパターンの画像信号を第２のパターンの画像信号に変換する画像変換部と、画像変換部で変換した第２のパターンの画像信号を液晶表示部に与え、液晶表示部の表示領域内における第１のパターンが表示されていた特定の位置に第２のパターンを表示する制御を行う表示制御部とを備える液晶表示装置である。
【００１１】
このような本発明では、固定的に表示されていた第１のパターンの表示位置に第２のパターンを表示して、第１のパターンによる焼き付き現象を抑制することができる。
【００１２】
ここで、固定的に表示されるパターンとは、一定の時間、表示領域内の同一位置に輝度や色度が変化することなく表示される画像のことをいい、例えば、時計表示、チャンネル番号の表示、ロゴの表示など種々のものが挙げられる。
【００１３】
また、表示制御部は、所定の係数に比例する時間だけ第２のパターンの画像信号を液晶表示部に与えるものである。例えば、係数として、液晶表示部の表示領域における光源との距離に反比例した値を用いたり、第１のパターンを表示する時間に比例した値を用いたりする。これにより、第１のパターンによる焼き付きに対して最適な補正を施すことができるようになる。
【００１４】
また、液晶表示装置として、液晶表示部の表示領域内で、特定の位置に予め設定された時間以上固定的に表示される固定パターンを検出する検出部を備える構成では、利用者の使用状況に応じた固定パターンを第１のパターンとして登録できるようになる。
【００１５】
また、表示制御部は、光源から光が照射されていない間に第２のパターンを表示する制御を行う。これにより、液晶表示部に第２のパターンが表示されていることを認識させずに焼き付き抑制の処理を施すことができるようになる。
【００１６】
ここで、第２のパターンとしては、第１のパターンに対して反転したパターン、もしくはこの反転したパターンに類似するパターンを用いる。反転したパターンとは、ネガ・ポジ反転した画像信号によるパターンである。また、類似するパターンとは、第１のパターンに対して反転したパターンと一部異なる領域を備えているパターンである。
【００１７】
また、本発明は、液晶表示部に画像を表示する工程と、液晶表示部の画像の表示領域内の特定の位置に固定的に表示される第１のパターンがある場合、第１のパターンと異なる第２のパターンの画像信号を前記液晶表示部に与え、液晶表示部の表示領域内における第１のパターンが表示されていた特定の位置に前記第２のパターンを表示する工程とを有する液晶表示装置の表示制御方法である。
【００１８】
また、本発明は、液晶表示部に画像を表示する工程と、液晶表示部の画像の表示領域内の特定の位置に固定的に表示される第１のパターンがある場合、第１のパターンの画像信号を第２のパターンの画像信号に変換する工程と、第２のパターンの画像信号を液晶表示部に与え、液晶表示部の表示領域内における第１のパターンが表示されていた特定の位置に第２のパターンを表示する工程とを有する液晶表示装置の表示制御方法である。
【００１９】
このような本発明では、液晶表示部に画像を表示するにあたり、液晶表示部に固定的に表示されていた第１のパターンの表示位置に第２のパターンを表示することで、第１のパターンによる焼き付き現象を抑制することができる。
【００２０】
また、本発明は、液晶表示部の画像の表示領域内の特定の位置に固定的に表示される第１のパターンがある場合、予め記憶部に記憶された第１のパターンと異なる第２のパターンの画像信号を液晶表示部に与え、液晶表示部の表示領域内における第１のパターンが表示されていた特定の位置に第２のパターンを表示するステップとを液晶表示装置の制御コンピュータに実行させる表示制御プログラムである。
【００２１】
また、本発明は、液晶表示部の画像の表示領域内の特定の位置に固定的に表示される第１のパターンがある場合、予め記憶部に記憶された第１のパターンの画像信号を第２のパターンの画像信号に変換するステップと、変換して得た第２のパターンの画像信号を液晶表示部に与え、液晶表示部の表示領域内における第１のパターンが表示されていた特定の位置に前記第２のパターンを表示するステップとを液晶表示装置の制御コンピュータに実行させる表示制御プログラムである。
【００２２】
このような本発明では、液晶表示装置の制御コンピュータによって液晶表示部に画像を表示する制御を行うにあたり、液晶表示部に固定的に表示されていた第１のパターンの表示位置に第２のパターンを表示する制御を行わせる。これにより、第１のパターンによる焼き付き現象を抑制することができる。
【発明の効果】
【００２３】
本発明によれば、液晶表示部に固定的に表示されるパターンについての焼き付きを抑制することが可能となる。
【図面の簡単な説明】
【００２４】
【図１】第１実施形態に係る液晶表示装置の構成を説明するブロック図である。
【図１−Ａ】第１実施形態に係る液晶表示装置の他の例の構成を説明するブロック図である。
【図２】画面の表示サイズの相違によって発生するパターンの例を示す図である。
【図３】画面に表示される固定的なパターンの例を示す図である。
【図４】デモ画面による固定的なパターンの例を示す図である。
【図５】本実施形態に係る表示制御プログラム（その１）を説明するフローチャートである。
【図６】本実施形態に係る表示制御プログラム（その２）を説明するフローチャートである。
【図７】本実施形態に係る表示制御プログラム（その３）を説明するフローチャートである。
【図８】本実施形態に係る表示制御プログラム（その４）を説明するフローチャートである。
【図９】第２実施形態に係る液晶表示装置の構成を説明するブロック図である。
【図９−Ａ】第２実施形態に係る液晶表示装置の他の例の構成を説明するブロック図である。
【図１０】固定パターンの例を示す図である。
【図１１】第２実施形態に係る液晶表示装置の表示制御プログラムを説明するフローチャートである。
【発明を実施するための形態】
【００２５】
以下、本発明を実施するための形態（以下、「実施形態」という。）について説明する。なお、説明は以下の順序で行う。
１．第１実施形態（液晶表示装置の構成例、時間による係数ｋの設定例、距離による係数ｋの設定例、係数ｋについて、ブリンキング表示）
２．液晶表示装置の表示制御方法
３．第１、第２のパターンの例
４．表示制御プログラム（表示制御プログラムの例（その１〜その４））
５．第２実施形態（液晶表示装置の構成例、固定パターンの例）
６．液晶表示装置の表示制御方法
７．表示制御プログラム
８．その他の実施形態
【００２６】
＜１．第１実施形態＞
［液晶表示装置の構成］
図１は、第１実施形態に係る液晶表示装置の構成を説明するブロック図である。本実施形態に係る液晶表示装置１は、液晶表示部である液晶パネル１０、光源であるバックライトユニット２０、記憶部１１、画像変換部１２、表示制御部１３を備えている。また、液晶表示装置１は、記憶部１１、画像変換部１２、表示制御部１３の各部を制御するＣＰＵ（Central Processing Unit）１４を備えている。
【００２７】
液晶パネル１０は、縦横複数の画素が配置された表示領域を備えており、画素ごとに液晶を駆動して画像を表示する部分である。液晶パネル１０は一対の基板間に液晶が挟持された構成であり、一方の基板に設けられた画素ごとの駆動素子（ＴＦＴ：Thin Film Transistor）を画素信号によって駆動することで液晶の配向を制御し、光の透過率制御による画像の表示を行う。液晶パネル１０には、表示制御部１３から行、列の走査の信号が送られるとともに、表示制御部１３から画素に応じた画像信号が供給される。
【００２８】
バックライトユニット２０は、液晶パネル１０に光を照射する光源（バックライト）と駆動回路とを備えている。バックライトユニット２０は、インバータ２１から供給される電圧によってバックライトの点灯が制御されるもので、液晶パネル１０の全面もしくは必要な部分に光を照射する。バックライトユニット２０のバックライトは、液晶パネル１０の近傍に配置されていたり、液晶パネル１０と間隔を開けて配置されていたりする。バックライトは、直視型の液晶表示装置１ではＣＣＦＬ（Cold Cathode Fluorescent Lamp）、ＬＥＤ（Light Emitting Diode）、レーザ光源等が用いられ、投射型の液晶表示装置１では超高圧水銀ランプ（ＵＨＰ）等が用いられる。
【００２９】
記憶部１１は、液晶パネル１０の画像の表示領域内の特定の位置に固定的に表示される第１のパターンの画像信号を記憶する。記憶部１１は、半導体メモリ（不揮発性メモリ）、ハードディスクドライブ等の所定の記憶媒体によって構成される。記憶部１１は、予め固定的に表示されることが把握されているパターンや、利用者が指定したパターン、後に読み込んだパターン、ネットワーク等からダウンロードしたパターンを記憶する。
【００３０】
画像変換部１２は、記憶部１１に記憶された第１のパターンの画像信号に対して所定の演算処理を行い、第２のパターンの画像信号へ変換する処理を行う。変換処理は、例えば第１のパターンの画像信号を構成するＲ（赤）、Ｇ（緑）、Ｂ（青）の信号値に対して、各色の最大値から信号値を差し引く演算を行い、第２のパターンの各色の画像信号を得る。これにより、第１のパターンに対する反転パターンを生成する。
【００３１】
また、画像変換部１２は、第１のパターンについて、これを反転したパターンと類似するパターンを第２のパターンとして変換する処理を行ってもよい。類似するパターンは、第１のパターンに対して反転したパターンと一部異なる領域を備えているパターンである。
【００３２】
なお、予め固定的に表示されることが把握されているパターンの場合は、このパターンに対応する第２のパターンを記憶部１１に記憶させておいてもよい。また、予め固定的に表示されることが把握されているパターンのみを対象にした場合は、画像変換部１２を設けなくてもよい。その場合は図１−Ａに示す構成となる。すなわち、記憶部１１は、後述するＣＰＵ１４の指示に応じ、記憶している第２のパターンの画像信号を表示制御部１３へ送る。
【００３３】
表示制御部１３は、液晶パネル１０に表示対象となる画像の信号を所定のタイミングで送る制御を行う。すなわち、表示制御部１３は、液晶パネル１０の水平駆動回路３１および垂直駆動回路３２に所定のタイミングで信号を与え、液晶パネル１０の画像表示を制御する。
【００３４】
また、表示制御部１３は、液晶パネル１０の焼き付き抑制の処理を行う際、画像変換部１２で変換した第２のパターンの画像信号を液晶パネル１０に送る。なお、図１−Ａに示す構成では、表示制御部１３は、記憶部１１に記憶された第２のパターンの画像信号を受けて、その第２のパターンの画像信号を液晶パネル１０に送る。
【００３５】
表示制御部１３は、第２のパターンの画像信号を、この第２のパターンに対応する第１のパターンが表示されていた特定の位置の画素に対して供給する。これにより、液晶パネル１０の表示領域内における第１のパターンが表示されていた位置に第２のパターンが表示されることになる。
【００３６】
ＣＰＵ１４は、記憶部１１、画像変換部１２、表示制御部１３の各部を制御するため、所定の制御プログラムを実行する部分である。例えば、ＣＰＵ１４は、表示制御部１３に対して通常の画像表示や後述する焼き付き抑制の画像表示の指示を与える。また、ＣＰＵ１４は、記憶部１１に対して第１のパターンの読み出しを制御するとともに、画像変換部１２に対して記憶部１１から読み出した第１のパターンの第２のパターンへの変換指示や、第２のパターンの表示制御部１３への出力指示を制御する。
【００３７】
ここで、液晶表示装置１では、近年のデジタル放送開始にともない、テレビ用途の１６：９によるワイド画面の表示や、従来タイプの４：３画面の表示の切り換えが行われる。このため、液晶パネル１０の有効表示領域は１６：９の画面表示に対応したサイズとなっており、４：３の画面を表示する場合には、４：３の画面の左右外側の有効表示領域は黒色の表示が行われる。したがって、４：３画面の表示を長時間行うと、４：３画面の左右外側の黒色の表示の境界部分に液晶の焼き付きが発生しやすい。
【００３８】
また、１６：９や４：３のいずれの表示であっても画面の隅に固定的なパターンの表示が成されることもある。例えば、画面の右上等に各放送局のロゴマーク、画面左上等に放送時の時刻表示、表示装置の機能として組み込まれた画面左下等の時刻表示など、各種の固定的なパターンの表示が行われている。この固定的なパターンが液晶の焼き付き現象を起こすことになる。
【００３９】
このほか、店頭にて液晶表示装置を点灯してデモ画面を表示させ、液晶表示装置の性能を紹介するような場合は、性能を紹介するためのロゴや文字が固定位置に表示されることになる。このような表示も液晶の焼き付きの原因となる。
【００４０】
本実施形態の液晶表示装置１は、このような固定的なパターンの表示について発生しやすい液晶の焼き付きを抑制するものである。
【００４１】
すなわち、本実施形態の液晶表示装置１は、予め、固定的に表示されることが把握されている画像（第１のパターン）の画像情報を記憶部に記憶しておく。そして、焼き付き現象を抑制するため、所定のタイミングで第１のパターンから変換した第２のパターンを、第１のパターンが表示されていたのと同じ位置に表示させる。
【００４２】
所定のタイミングとしては、バックライトユニット２０のバックライトが点灯していない時に、焼き付き抑制のための第２のパターンの画像信号を表示制御部から液晶パネルに送る。この際、バックライトが点灯していないことから、第２のパターンを液晶パネルに表示しても利用者に視認されることはない。
【００４３】
ここで、バックライトが点灯していない時とは、利用者が電源をＯＦＦにしてスタンバイ状態にしたときや、メイン電源をＯＦＦにしたとき、スリープモードに移行したとき等が挙げられる。スタンバイ状態にしたときは、スタンバイ状態を維持するための電力の一部を利用して表示制御部から液晶パネルへ第２のパターンの画像信号を所定時間送り、液晶を駆動する。また、メイン電源をＯＦＦにしたときは、バックライトを消灯してから一定時間、第２のパターンの画像信号を液晶パネルに送り、液晶を駆動してから電源を停止する。スリープモードは、一定時間何の操作も行わないと切り替わる省電力のためのモードであり、この際、バックライトの消灯が行われる。
【００４４】
また、本実施形態の液晶表示装置１における表示制御部１３は、焼き付き現象を抑制するため、所定の係数ｋに比例する時間だけ第２のパターンの画像信号を液晶パネル１０に送る。この係数ｋの設定によって、第１のパターンの表示による液晶の焼き付きに対し、最適な補正（第２のパターンの表示時間設定）を施すことになる。以下、係数ｋの設定例について説明する。
【００４５】
［時間による係数ｋの設定］
本実施形態の液晶表示装置１は、焼き付き現象を発生しやすい固定的なパターン（第１のパターン）を表示した時間を計数するカウンタを備えている。カウンタは、表示制御部１３に設けられていたり、ＣＰＵ１４によるプログラム処理で構成されており、固定的なパターン（第１のパターン）が複数ある場合には、第１のパターンごとに表示した時間を計数する。
【００４６】
表示制御部１３は、焼き付き現象を抑制するため、所定のタイミングで第１のパターンから変換した第２のパターンを、第１のパターンが表示されていたのと同じ位置に表示させる。この際、表示制御部１３は、カウンタで計数した時間に比例して上記の係数ｋの値を設定し、第２のパターンを係数ｋに比例した時間だけ表示する。ここで所定のタイミングとしては、上記と同様、バックライトユニット２０のバックライトが点灯していない時である。
【００４７】
ここで、時間による係数ｋの設定は、上記のように第１のパターンごとに表示した時間を計数する場合のほか、チャンネルごとや表示サイズごとの時間を計数するようにしてもよい。
【００４８】
チャンネルごとの時間の計数では、あるチャンネルの表示時間を計数する。これは、チャンネルごとに固定的なパターン（第１のパターン）はある程度把握されているため、チャンネルの表示時間がそのチャンネルに対応する第１のパターンの表示時間と等価であると考えられるためである。
【００４９】
また、表示サイズごとの時間の計数では、４：３等の表示サイズが選択され、画面表示している時間を計数する。これは、表示サイズによって固定的なパターン（第１のパターン）が特定されることから、どの表示サイズをどの程度表示したかを計数すれば、その表示サイズに対応した第１のパターンの表示時間を把握できるためである。
【００５０】
［距離による係数ｋの設定］
本実施形態の液晶表示装置１は、液晶パネル１０の表示領域におけるバックライトユニット２０のバックライトとの距離に比例した係数ｋの情報を備えている。この情報は、液晶パネル１０の表示領域におけるｘ、ｙ座標ごとに、その座標からバックライトまでの距離に反比例した値を対応付けた情報である。この情報は、予め液晶表示装置１のセットに応じて決まるもので、例えば記憶部１１に記憶されている。
【００５１】
表示制御部１３は、焼き付き現象を抑制するため、所定のタイミングで第１のパターンから変換した第２のパターンを、第１のパターンが表示されていたのと同じ位置に表示させる。この際、表示制御部１３は、第２のパターンの表示座標に応じて記憶部から係数ｋを読み出し、第２のパターンの各画素について対応する係数ｋに比例した時間だけ表示する。ここで所定のタイミングとしては、上記と同様、バックライトユニット２０のバックライトが点灯していない時である。
【００５２】
なお、上記のような時間による係数ｋの設定や距離による係数ｋの設定は、各々単独で行っても、時間および距離の両方を考慮した設定（例えば、両者の平均や重み付き平均）であってもよい。
【００５３】
［係数ｋについて］
ここで、係数ｋについて説明する。液晶中の保持率低下の原因となる不純物は、固定的に表示されるパターンの境界に集まりやすい。例えば、１６：９の画面に対応した液晶パネルで４：３の画像を表示する際、４：３の画像の左右外側に黒色の表示が行われるが、この黒色の表示と４：３の画面との境界に不純物が集まりやすくなる。
【００５４】
そこで、この黒色の表示を第１のパターンとし、反転パターンである白色のパターンを第２のパターンとして、所定のタイミングで第２のパターン（白色のパターン）を第１のパターン（黒色のパターン）の位置に表示させるよう液晶を駆動する。これより、境界に集まった不純物を逆方向へリリースできるようになる。
【００５５】
このような不純物の逆方向へのリリースは、液晶パネルの液晶中の温度により移動度が異なる。すなわち、液晶パネル１０の温度が高いほど移動度が大きく、小さいほど移動度が小さくなる。ここで、バックライト点灯中のほうが、液晶の温度が高くなるので、バックライト非点灯状態で焼き付き抑制をする場合は、液晶の温度が点灯中より低い状態となる。したがって、不純物移動度が点灯時より小さくなり、不純物を逆方向へリリースする効果が小さくなってしまう。そこで、焼き付き抑制駆動をする時間をより長く取る必要がある。
【００５６】
係数ｋは、バックライト点灯時に第１のパターンを表示した時間を基準とした第２のパターンの表示時間の比率を示す値である。すなわち、第１のパターンの表示時間と同じ場合には係数ｋ＝１となり、２倍の表示時間では係数ｋ＝２となり、１／２倍の表示時間では係数ｋ＝０．５となる。一般的に、係数ｋは、０≦ｋ≦１００であり、使用している液晶パネル内の材料によって異なる。
【００５７】
［ブリンキング表示］
本実施形態の液晶表示装置１における表示制御部１３は、焼き付き抑制の表示制御として、第１のパターンと第２のパターンとを交互に表示する制御を行うものでもある。交互の表示はブリンキング表示といわれ、０．１Ｈｚから１０Ｈｚの周波数で第１のパターンと第２のパターンとを同じ位置で交互に表示させるものである。
【００５８】
例えば、電気機器販売店等においてテレビを点灯し、デモ画面を表示させて性能を紹介するような使用状況がある。性能を紹介するためのパターンの多くは同じ位置で表示される固定パターン（第１のパターン）であるために、液晶の焼き付き現象が発生しやすくなる。そのため、固定パターン（第１のパターン）に対応する反転パターン（第２のパターン）を用いて同じ位置にブリンキング表示するようにする。これによって、固定パターン（第１のパターン）の焼き付きを抑制する。
【００５９】
＜２．液晶表示装置の表示制御方法＞
本実施形態に係る液晶表示装置１は、次のような流れで表示を行う。先ず、表示制御部１３は、液晶パネル１０に表示対象となる画像の信号を送る。これにより、液晶パネル１０に所望の画像が表示される。
【００６０】
次に、液晶パネル１０の画像の表示において、表示領域内の特定の位置に固定的に表示される第１のパターンがある場合、第１のパターンの画像信号を第２のパターンの画像信号に変換する処理を行う。ここで、第１のパターンの画像信号は予め記憶部１１に記憶されている。第１のパターンが所定の時間（予め設定された時間）を超えて液晶パネルの同じ位置に表示される場合、表示制御部１３は画像変換部１２へ指示を与える。画像変換部１２は、表示制御部１３から送られた指示を受けて、第１のパターンの画像信号を記憶部１１から読み出し、所定の演算によって第２のパターンへの変換処理を行う。
【００６１】
なお、画像変換部１２を必要としない図１−Ａに示す構成の液晶表示装置１では、記憶部１１に予め記憶されている第２のパターンの画像信号を表示制御部１３に送る。
【００６２】
次に、表示制御部１３は、画像変換部１２で変換した、もしくは記憶部１１から送られた第２のパターンの画像信号を、所定のタイミングで液晶パネル１０に与える。これにより、液晶パネル１０の表示領域内における第１のパターンが表示されていたのと同じ位置に第２のパターンが表示されることになる。
【００６３】
ここで、所定のタイミングとしては、バックライトユニット２０のバックライトが点灯していない時が挙げられる。したがって、バックライトが点灯していない時に、焼き付き抑制のための第２のパターンの画像信号を表示制御部１３から液晶パネル１０に送る。バックライトユニットが点灯していないことから、第２のパターンを液晶パネル１０に表示しても利用者に視認されることはない。
【００６４】
また、表示制御部１３は、液晶の焼き付きを抑制するための第２のパターンを表示するにあたり、上記説明した第１のパターンの表示時間による係数ｋや、バックライトと液晶パネル１０の各画素との距離による係数ｋ、またはこれらの両方によって設定される係数ｋに比例して第２のパターンの表示時間を制御する。
【００６５】
また、表示制御部１３は、液晶の焼き付きを抑制するため、第１のパターンと第２のパターンとを同じ位置に交互に表示するブリンキング表示を行うものでもある。
【００６６】
このような表示制御方法によって、液晶パネル１０に固定的なパターンが表示されても焼き付きの発生を抑制することができる。
【００６７】
＜３．第１、第２のパターンの例＞
次に、第１のパターンおよび第２のパターンの例を説明する。ここで、第１のパターンは、液晶パネル１０の表示領域内に固定的に表示されるパターンである。固定的に表示されるパターンとは、一定の時間、表示領域内の同一位置に輝度や色度が変化することなく表示される画像のことをいい、例えば、時計表示、チャンネル番号の表示、ロゴの表示など種々のものが挙げられる。また、第２のパターンは、第１のパターンに対して反転したパターン、もしくはこの反転したパターンに類似するパターンである。
【００６８】
図２は、画面の表示サイズの相違によって発生するパターンの例を示す図である。例えば、１６：９の画面表示サイズに対応した液晶パネル１０によって４：３のサイズの画面を表示する場合など、液晶パネル１０の最大表示サイズより小さいサイズの画面表示を行う場合、画面表示の外側に黒色の表示が行われる。この黒色の表示部分が固定的なパターン（第１のパターンＰ１）となる（図２（ａ）参照）。
【００６９】
このような第１のパターンＰ１に対する第２のパターンＰ２は、黒色の表示部分と同じ領域で、色が反転している白色のパターンである（図２（ｂ）参照）。本実施形態では、表示画面の外側に黒色の表示（第１のパターンＰ１の表示）が所定時間以上行われた場合、焼き付き防止の処理として、バックライトを消灯した際、黒色の表示と同じ位置に白色のパターンである第２のパターンＰ２を表示する。なお、バックライトが消灯しているため、実際には第２のパターンＰ２の表示は視認されない。
【００７０】
これにより、固定的な黒色の表示によって、この部分と画面部分との境界に集まっていた不純物が、反転（白色）の表示によって逆方向へ移動し、焼き付きが防止される。なお、ここでは、第１のパターンＰ１が黒色、第２のパターンＰ２が白色となる例を示したが、これ以外の色であっても同様である。
【００７１】
図３は、画面に表示される固定的なパターンの例を示す図である。液晶表示装置では、装置自体の機能として画面に時計やチャンネルの表示を行ったり、放送局から送られる番組映像に時刻表示や放送局を識別するロゴ等の表示が行われる場合がある。本実施形態では、このような固定的に表示されるパターンを第１のパターンＰ１としている（図３（ａ）参照）。
【００７２】
時計表示やチャンネル表示、放送局のロゴ等の表示は、予め表示されるパターンが分かっていることから、本実施形態の液晶表示装置は記憶部にこれらのパターンを第１のパターンＰ１として記憶している。
【００７３】
このような第１のパターンＰ２に対する第２のパターンは、各第１のパターンＰ１の表示と反転するパターンであったり、反転するパターンと類似するパターンであったりする（図３（ｂ）参照）。例えば、チャンネル表示や放送局のロゴについては、表示態様が固定であるため、第１のパターンＰ１に対して反転した第２のパターンＰ２を用いる。一方、時計表示（時刻表示）では、時間単位、分単位、秒単位といった各単位で表示が変化する。したがって、第２のパターンＰ２としては、第１のパターンＰ１による最大の表示領域に対応した反転パターンとしたり、最も変化の少ない時間の表示領域のみ反転したパターンとする。
【００７４】
本実施形態では、液晶パネル１０の表示領域内に上記のような第１のパターンＰ１が所定時間以上行われた場合、焼き付き防止の処理として、バックライトを消灯した際、第１のパターンと対応する第２のパターンＰ２を表示する。なお、バックライトが消灯しているため、実際には第２のパターンの表示は視認されない。
【００７５】
これにより、固定的な第１のパターンＰ１の表示によって、この部分と他の部分との境界に集まっていた不純物が、第２のパターンＰ２の表示によって逆方向へ移動し、焼き付きが防止される。
【００７６】
図４は、デモ画面による固定的なパターンの例を示す図である。デモ画面では、液晶表示装置の機能等を紹介する画像を固定的に表示することから、この画像が第１のパターンＰ１となる。図４（ａ）に示す例では、１つの画像だけ表示されているが、複数の機能を紹介する場合など、複数の画像が表示される場合もある。
【００７７】
本実施形態では、このようなパターンを長時間表示するときは、パターンの焼き付きが発生する可能性があるため、図４（ｂ）に示すように、第１のパターンＰ１の反転パターンである第２のパターンＰ２を、第１のパターンＰ１と交互に表示するブリンキング表示を行う。
【００７８】
これにより、液晶表示装置の機能等を紹介するような場合であっても、固定的なパターンが焼き付きを生じるほど長時間連続して表示されることがなく、焼き付き現象を抑制できるようになる。
【００７９】
＜４．表示制御プログラム＞
次に、本実施形態に係る表示制御プログラムを説明する。本実施形態に係る表示制御プログラムは、液晶表示装置の制御コンピュータに実行させるステップを有している。制御コンピュータは、例えば図１に示すＣＰＵ１４を中心とした構成である。なお、制御コンピュータは液晶表示装置１の外部にあってもよい。本実施形態の表示制御プログラムは、ＣＤ−ＲＯＭ等の記録媒体に記録されていたり、ネットワークを介して配信されたりするものでもある。
【００８０】
［表示制御プログラム（その１）］
図５は、本実施形態に係る表示制御プログラム（その１）を説明するフローチャートである。なお、以下に説明する表示制御プログラム（その１）は、図１に示す液晶表示装置１のＣＰＵ１４が実行するものとする。
【００８１】
先ず、液晶パネル１０に画像を表示する制御を行う（ステップＳ１０１）。すなわち、表示制御部１３は、対象の画像を表示するため、画像信号を液晶パネル１０に送る。次に、表示している画像の中に、第１のパターンが表示されているか否かを判断する（ステップＳ１０２）。第１のパターンは、予め記憶部１１に記憶されているもので、この記憶部１１に記憶されている画像と同じ画像が表示されているか否かを判断する。
【００８２】
ここで、上記の判断は次のように行う。
（１）第１のパターンが画面サイズによって生じる場合
液晶表示装置１のＣＰＵ１４は、液晶パネル１０に表示している画面のサイズが、液晶パネル１０の有効表示領域のサイズより小さいと判断した場合、第１のパターンが記憶部１１に記憶されていると判断する。つまり、有効表示領域のサイズより小さい画面を表示する場合、有効表示領域と画面のサイズとの差によって生じる固定パターンのサイズや位置の組み合わせは、液晶表示装置１の機能として予め決まっている。したがって、記憶部１１にもこの固定パターンと同じ第１のパターンが記憶されているためである。
（２）液晶表示装置の機能として固定パターンが表示される場合
液晶表示装置１のＣＰＵ１４は、液晶表示装置１の機能として時計やチャンネル等を表示している場合、第１のパターンが記憶部１１に記憶されていると判断する。つまり、液晶表示装置１の機能として時計やチャンネル等を表示する場合、時計やチャンネルを表示するパターンの位置やサイズは、液晶表示装置１の機能として予め決まっている。したがって、記憶部１１にもこの固定パターンと同じ第１のパターンが記憶されているためである。
（３）パターンマッチングによる判断
液晶表示装置１のＣＰＵ１４は、液晶パネル１０に表示している画像のうち、一定の時間以上固定された表示の領域を切り出し、この切り出した領域の画像信号と、記憶部１１に記憶されている第１のパターンの画像信号とのパターンマッチングを行う。これにより、パターンマッチングで照合された場合には、記憶部１１に第１のパターンが記憶されていると判断する。
【００８３】
ＣＰＵ１４は、表示している画像の中に、第１のパターンが表示されていないと判断した場合、ステップＳ１０５へ進む。一方、第１のパターンが表示されていると判断した場合、その第１のパターンが予め設定した時間以上表示されているか否かを判断する（ステップＳ１０３）。予め設定した時間以上表示されていない場合はステップＳ１０５へ進む。
【００８４】
一方、予め設定した時間以上表示されている場合には、その第１のパターンに対応する第２のパターンの表示を行うよう指示する（ステップＳ１０４）。その後、ＣＰＵ１４は、液晶表示装置１の電源がスタンバイ状態に移行したか否かを判断する（ステップＳ１０５）。スタンバイ状態への移行を検出すると、バックライトを消灯し、第２のパターンの画像信号の表示指示があるかどうか確認する（ステップＳ１０６）。
【００８５】
第２のパターンの表示指示がない場合は、ステップＳ１０９へ進む。一方、第２のパターンの表示指示がある場合は、第２のパターンの変換を行うよう画像変換部１２に指示する（ステップＳ１０７）。次に、第２のパターンの画像信号を表示制御部１３から液晶パネル１０へ送るよう指示を与える（ステップＳ１０８）。これにより、第２のパターンが、第１のパターンの表示位置に所定時間表示され、焼き付きの抑制が実行される。その後、スタンバイ状態へ移行する（ステップＳ１０９）。
【００８６】
［表示制御プログラム（その２）］
図６は、本実施形態に係る表示制御プログラム（その２）を説明するフローチャートである。なお、以下に説明する表示制御プログラム（その２）は、図１に示す液晶表示装置１のＣＰＵ１４が実行するものとする。
【００８７】
先ず、液晶パネル１０に画像を表示する制御を行う（ステップＳ２０１）。すなわち、表示制御部１３は、対象の画像を表示するため、画像信号を液晶パネル１０に送る。次に、表示している画像の中に、第１のパターンが表示されているか否かを判断する（ステップＳ２０２）。第１のパターンは、予め記憶部１１に記憶されているもので、この記憶部１１に記憶されている画像と同じ画像が表示されているか否かを判断する。この判断は、上記（１）〜（３）のいずれかで行う。
【００８８】
ＣＰＵ１４は、表示している画像の中に、第１のパターンが表示されていないと判断した場合、ステップＳ２０５へ進む。一方、第１のパターンが表示されていると判断した場合、その第１のパターンが予め設定した時間以上表示されているか否かを判断する（ステップＳ２０３）。予め設定した時間以上表示されていない場合はステップＳ２０５へ進む。
【００８９】
一方、予め設定した時間以上表示されている場合には、その第１のパターンに対応する第２のパターンの表示を行うよう指示する（ステップＳ２０４）。その後、ＣＰＵ１４は、液晶表示装置１のメイン電源がＯＦＦにされたか否かを判断する（ステップＳ２０５）。メイン電源のＯＦＦへの移行を検出すると、バックライトを消灯し、第２のパターンの画像信号の表示指示があるかどうか確認する（ステップＳ２０６）。
【００９０】
第２のパターンの表示指示がない場合は、ステップＳ２０９へ進む。一方、第２のパターンの表示指示がある場合は、第２のパターンの変換を行うよう画像変換部１２に指示する（ステップＳ２０７）。次に、第２のパターンの画像信号を表示制御部１３から液晶パネル１０へ送るよう指示を与える（ステップＳ２０８）。これにより、第２のパターンが、第１のパターンの表示位置に所定時間表示され、焼き付きの抑制が実行される。その後、メイン電源をＯＦＦにする（ステップＳ２０９）。
【００９１】
［表示制御プログラム（その３）］
図７は、本実施形態に係る表示制御プログラム（その３）を説明するフローチャートである。なお、以下に説明する表示制御プログラム（その３）は、図１−Ａに示す液晶表示装置１のＣＰＵ１４が実行するものとする。
【００９２】
先ず、液晶パネル１０に画像を表示する制御を行う（ステップＳ３０１）。すなわち、表示制御部１３は、対象の画像を表示するため、画像信号を液晶パネル１０に送る。次に、表示している画像の中に、第１のパターンが表示されているか否かを判断する（ステップＳ３０２）。第１のパターンは、予め記憶部１１に記憶されているもので、この記憶部１１に記憶されている画像と同じ画像が表示されているか否かを判断する。この判断は、上記（１）〜（３）のいずれかで行う。
【００９３】
ＣＰＵ１４は、表示している画像の中に、第１のパターンが表示されていないと判断した場合、ステップＳ３０５へ進む。一方、第１のパターンが表示されていると判断した場合、その第１のパターンが予め設定した時間以上表示されているか否かを判断する（ステップＳ３０３）。予め設定した時間以上表示されていない場合はステップＳ３０５へ進む。
【００９４】
一方、予め設定した時間以上表示されている場合には、その第１のパターンに対応する第２のパターンの表示を行うよう指示する（ステップＳ３０４）。その後、ＣＰＵ１４は、液晶表示装置１の電源がスタンバイ状態に移行したか否かを判断する（ステップＳ３０５）。スタンバイ状態への移行を検出すると、バックライトを消灯し、第２のパターンの画像信号の表示指示があるかどうか確認する（ステップＳ３０６）。
【００９５】
第２のパターンの表示指示がない場合は、ステップＳ３０８へ進む。一方、第２のパターンの表示指示がある場合は、第２のパターンの画像信号を記憶部１１から読み出し、表示制御部１３を介して液晶パネル１０へ送るよう指示を与える（ステップＳ３０７）。これにより、第２のパターンが、第１のパターンの表示位置に所定時間表示され、焼き付きの抑制が実行される。その後、スタンバイ状態へ移行する（ステップＳ３０８）。
【００９６】
［表示制御プログラム（その４）］
図８は、本実施形態に係る表示制御プログラム（その４）を説明するフローチャートである。なお、以下に説明する表示制御プログラム（その４）は、図１−Ａに示す液晶表示装置１のＣＰＵ１４が実行するものとする。
【００９７】
先ず、液晶パネル１０に画像を表示する制御を行う（ステップＳ４０１）。すなわち、表示制御部１３は、対象の画像を表示するため、画像信号を液晶パネル１０に送る。次に、表示している画像の中に、第１のパターンが表示されているか否かを判断する（ステップＳ４０２）。第１のパターンは、予め記憶部１１に記憶されているもので、この記憶部１１に記憶されている画像と同じ画像が表示されているか否かを判断する。この判断は、上記（１）〜（３）のいずれかで行う。
【００９８】
ＣＰＵ１４は、表示している画像の中に、第１のパターンが表示されていないと判断した場合、ステップＳ４０５へ進む。一方、第１のパターンが表示されていると判断した場合、その第１のパターンが予め設定した時間以上表示されているか否かを判断する（ステップＳ４０３）。予め設定した時間以上表示されていない場合はステップＳ４０５へ進む。
【００９９】
一方、予め設定した時間以上表示されている場合には、その第１のパターンに対応する第２のパターンの表示を行うよう指示する（ステップＳ４０４）。その後、ＣＰＵ１４は、液晶表示装置１のメイン電源がＯＦＦにされたか否かを判断する（ステップＳ４０５）。メイン電源のＯＦＦへの移行を検出すると、バックライトを消灯し、第２のパターンの画像信号の表示指示があるかどうか確認する（ステップＳ４０６）。
【０１００】
第２のパターンの表示指示がない場合は、ステップＳ４０８へ進む。一方、第２のパターンの表示指示がある場合は、第２のパターンの画像信号を記憶部１１から読み出し、表示制御部１３を介して液晶パネル１０へ送るよう指示を与える（ステップＳ４０７）。これにより、第２のパターンが、第１のパターンの表示位置に所定時間表示され、焼き付きの抑制が実行される。その後、メイン電源をＯＦＦにする（ステップＳ４０８）。
【０１０１】
＜５．第２実施形態＞
［液晶表示装置の構成］
図９は、第２実施形態に係る液晶表示装置の構成を説明するブロック図である。本実施形態に係る液晶表示装置１は、液晶表示部である液晶パネル１０、光源であるバックライトユニット２０、記憶部１１、画像変換部１２、表示制御部１３、検出部１５を備えている。また、液晶表示装置１は、記憶部１１、画像変換部１２、表示制御部１３、検出部１５の各部を制御するＣＰＵ１４を備えている。
【０１０２】
第２実施形態に係る液晶表示装置１は、第１実施形態に係る液晶表示装置（図１参照）の構成に加え、検出部１５を備えている点で相違する。したがって、第１実施形態に係る液晶表示装置１と同じ構成については説明を省略する。なお、第２実施形態に係る液晶表示装置１は、図１−Ａに示す構成に加えて検出部１５を備えている構成（図９−Ａ参照）であってもよい。
【０１０３】
検出部１５は、液晶パネル１０の表示領域内で、特定の位置に予め設定された時間以上固定的に表示される固定パターンを検出する部分である。すなわち、検出部１５は、表示制御部１３から液晶パネル１０に送られる画像信号を同じ信号を取得し、表示領域内の画素の位置における画像信号の変化を監視して、一定時間画像信号に変化が生じていない領域の画像（固定パターン）を検出する。
【０１０４】
また、検出部１５によって予め設定された時間以上固定的に表示される固定パターンを検出した場合、記憶部１１は、検出部１５で検出した固定パターンの画像信号を記憶する処理を行う。検出部１５が固定パターンを検出し、記憶部１１で記憶した場合、表示制御部１３は、記憶部１１に記憶した固定パターンを第１のパターンとして、第１の実施形態と同様、焼き付き抑制の処理を行う。
【０１０５】
すなわち、表示制御部１３は、焼き付き現象を抑制するため、所定のタイミングで第１のパターンから変換した第２のパターンを、第１のパターンが表示されていたのと同じ位置に表示させる。なお、図９−Ａに示す構成から成る液晶表示装置１では、検出部１５で固定パターンを検出した場合、ＣＰＵ１４の指示によってこの固定パターンを第１のパターンとして記憶部１１に記憶するとともに、第１のパターンと対応する第２のパターンを記憶部１１に記憶しおく。そして、所定のタイミングで第２のパターンの画像信号を記憶部１１から読み出し、第１のパターンが表示されていたのと同じ位置に表示させる。
【０１０６】
所定のタイミングとしては、バックライトユニット２０のバックライトが点灯していない時が挙げられる。したがって、バックライトが点灯していない時に、焼き付き抑制のための第２のパターンの画像信号を表示制御部１３から液晶パネル１０に送る。バックライトが点灯していないことから、第２のパターンを液晶パネルに表示しても利用者に視認されることはない。
【０１０７】
［固定パターンの例］
図１０は、固定パターンの例を示す図である。液晶パネルの表示領域には、番組等の内容によって特定の位置に固定的なパターンが表示される場合がある。図１０（ａ）に示す例では、液晶パネルの表示領域に、「本日の天気  晴れ」といったパターンが同じ位置に固定的に表示されている。検出部１５は、このように番組等の内容に応じて固定的に表示されるパターン、すなわち、画像信号に変化が生じないパターンを検出する。例えば、図１０（ａ）に示すように、液晶パネルの表示領域の同じ位置に「本日の天気  晴れ」といったパターンが一定時間以上表示されていると固定パターンとして検出する。また、検出部１５は、予め設定された所定の時間以上表示されている固定パターンを検出する。
【０１０８】
検出部１５が予め設定された所定の時間以上表示されている固定パターンを検出すると、その固定パターンの画像情報を第１のパターンＰ１の画像情報として記憶部１１に記憶する。図１０（ｂ）は、固定パターンを第１のパターンＰ１として記憶した場合の第２のパターンＰ２の例を示している。この例では、図１０（ａ）に示す固定パターン「本日の天気  晴れ」のパターンに対して反転した第２のパターンＰ２となっている。第２のパターンＰ２は記憶部に記憶された第１のパターンＰ１を用いて画像変換部１２が変換する。この第２のパターンＰ２を所定のタイミングで第１のパターンと同じ位置に表示させることで、液晶の焼き付きを抑制する。
【０１０９】
なお、図１０に示す固定パターンの例は一例であり、これ以外のパターンであってもよい。また、固定パターンは文字のパターンのみならず、絵（アイコン）や写真等の画像であってもよい。
【０１１０】
＜６．液晶表示装置の表示制御方法＞
本実施形態に係る液晶表示装置は、次のような流れで表示を行う。先ず、表示制御部１３は、液晶パネル１０に表示対象となる画像の信号を送る。これにより、液晶パネル１０に所望の画像が表示される。
【０１１１】
次に、液晶パネル１０の画像の表示において、表示領域内の特定の位置に予め設定された時間以上固定的に表示される固定パターンがあるか検出を行う。固定パターンがあった場合、これを第１のパターンＰ１として記憶部１１に記憶する。第１のパターンＰ１を記憶部１１に記憶した場合、第１のパターンＰ１の画像信号を第２のパターンＰ２の画像信号に変換する処理を行う。画像変換部１２は、表示制御部１３から送られた指示を受けて、第１のパターンの画像信号を記憶部１１から読み出し、所定の演算によって第２のパターンへの変換処理を行う。
【０１１２】
なお、画像変換部１２を必要としない図９−Ａに示す構成の液晶表示装置１では、記憶部１１に記憶されている第２のパターンの画像信号を表示制御部１３に送る。
【０１１３】
次に、表示制御部１３は、画像変換部１２で変換した、もしくは記憶部１１から送られた第２のパターンＰ２の画像信号を、所定のタイミングで液晶パネル１０に与える。これにより、液晶パネル１０の表示領域内における第１のパターンＰ１が表示されていたのと同じ位置に第２のパターンＰ２が表示されることになる。
【０１１４】
ここで、所定のタイミングとしては、バックライトユニット２０のバックライトが点灯していない時が挙げられる。したがって、バックライトが点灯していない時に、焼き付き抑制のための第２のパターンの画像信号を表示制御部１３から液晶パネル１０に送る。バックライトが点灯していないことから、第２のパターンを液晶パネルに表示しても利用者に視認されることはない。
【０１１５】
また、表示制御部１３は、液晶の焼き付きを抑制するための第２のパターンＰ２を表示するにあたり、上記第１実施形態で説明した第１のパターンの表示時間による係数ｋや、バックライトと表示パネル１０の各画素との距離による係数ｋ、またはこれらの両方によって設定される係数ｋに比例して第２のパターンの表示時間を制御する。
【０１１６】
また、表示制御部１３は、液晶の焼き付きを抑制するため、第１のパターンＰ１と第２のパターンＰ２とを同じ位置に交互に表示するブリンキング表示を行うようにしてもよい。
【０１１７】
このような表示制御方法によって、液晶パネル１０に固定的なパターンが表示されても焼き付きの発生を抑制することができる。また、第２実施形態では、液晶表示装置１に予め第１のパターンＰ１が記憶されていなくても、画像表示の内容から固定パターンを検出して第１のパターンＰ１として記憶するため、画像表示の利用状況に応じた焼き付き抑制が行われることになる。
【０１１８】
＜７．表示制御プログラム＞
図１１は、第２実施形態に係る液晶表示装置の表示制御プログラムを説明するフローチャートである。ここでは、固定パターンの検出および記憶の処理についての流れを示しており、記憶した固定パターンを第１のパターンとして液晶の焼き付き抑制を行う処理は第１実施形態と同様であるため、説明は省略する。なお、以下の説明で図に示されない符号は図９を参照するものとする。
【０１１９】
先ず、液晶パネル１０に画像を表示する制御を行う（ステップＳ５０１）。すなわち、表示制御部１３は、対象の画像を表示するため、画像信号を液晶パネル１０に送る。次に、表示している画像の中に、固定パターンがあるか否かを判断する（ステップＳ５０２）。この判断は、検出部１５によって行う。すなわち、検出部１５は、液晶パネル１０の画像の表示において、表示領域内の画素の位置における画像信号の変化を監視し、一定時間画像信号に変化が生じていない領域の画像（固定パターン）を検出する。固定パターンを検出しない場合にはステップＳ５０５へ進む。
【０１２０】
固定パターンを検出した場合、検出部１５は、固定パターンによる固定的な表示な予め設定された所定の時間以上行われたかを判断する（ステップＳ５０３）。固定パターンが所定の時間以上表示されていない場合にはステップＳ５０５へ進む。一方、固定パターンが所定の時間以上表示されている場合には、固定パターンを第１のパターンとして記憶部に記憶する（ステップＳ５０４）。なお、画像変換部１２を必要としない図９−Ａに示す構成の液晶表示装置１では、ステップＳ５０４において第１のパターンを記憶部に記憶する際、ＣＰＵ１４による演算で第１のパターンと対応する第２のパターンを生成し、記憶部に記憶する。
【０１２１】
次に、画像表示を続行するか否かを判断し（ステップＳ５０５）、続行する場合にはステップＳ５０１へ戻り、以降の処理を繰り返す。一方、続行しない場合には処理を終了する。
【０１２２】
このようなフローチャートに沿った処理によって、画像表示の内容から固定パターンを検出して第１のパターンとして記憶するため、画像表示の利用状況に応じた焼き付き抑制が行われることになる。
【０１２３】
＜８．その他の実施形態＞
上記のように、本実施形態の液晶表示装置では、第１のパターンとして予め記憶部１１に記憶されているものを用いたり、固定パターンを検出して記憶部１１に記憶したものを用いたりするが、これ以外であっても適用可能である。
【０１２４】
例えば、第１のパターンをネットワークを介して液晶表示装置１の記憶部１１へダウンロードすることが挙げられる。すなわち、液晶表示装置１がインターネット等のネットワークに接続されている場合、新たな機能をネットワーク経由でダウンロードすることがある。この場合、機能に応じたメニュー画像や機能に応じた固定的なパターンの表示が行われることもある。したがって、新たな機能をネットワーク経由でダウンロードした際には、必要に応じて固定的なパターンを第１のパターンとして記憶部１１に記憶すればよい。
【０１２５】
また、液晶表示装置１の利用者が液晶パネルに表示される画像を指定して第１のパターンとして記憶部１１に記憶したりすることも挙げられ。すなわち、液晶表示装置１の利用者が、液晶パネル１０に表示される画像パターンを任意に指定して、これを第１のパターンとして記憶部１１に記憶するようにしてもよい。
【符号の説明】
【０１２６】
１…液晶表示装置、１０…液晶パネル、１１…記憶部、１２…画像変換部、１３…表示制御部、１４…ＣＰＵ、１５…検出部、２０…バックライトユニット、２１…インバータ、３１…水平駆動回路、３２…垂直駆動回路
【図１】
2011053442.tif 000003
【図１−Ａ】
2011053442.tif 000004
【図２】
2011053442.tif 000005
【図３】
2011053442.tif 000006
【図４】
2011053442.tif 000007
【図５】
2011053442.tif 000008
【図６】
2011053442.tif 000009
【図７】
2011053442.tif 000010
【図８】
2011053442.tif 000011
【図９】
2011053442.tif 000012
【図９−Ａ】
2011053442.tif 000013
【図１０】
2011053442.tif 000014
【図１１】
2011053442.tif 000015